(57)【要約】【課題】  本発明の再生機能付記録媒体は、広告の効果を向上させ得るようにする。【解決手段】  本発明の再生機能付記録媒体においては、配布被対象者に対して広告のために配布される携帯型の再生機能付記録媒体であって、コンテンツデータＣＮが記録された記録手段と、当該コンテンツデータＣＮを再生する再生手段と、所定の再生条件に基づいて当該コンテンツの再生を制限することにより当該コンテンツを広告として機能させる再生制限手段とを設けるようにした。【選択図】        図３
2007033889.tif 000002
【特許請求の範囲】
【請求項１】
配布被対象者に対して広告のために配布される携帯可能な再生機能付記録媒体であって、
コンテンツが記録された記録手段と、
上記コンテンツを再生する再生手段と、
所定の再生条件に基づいて上記コンテンツの再生を制限することにより上記コンテンツを広告として機能させる再生制限手段と
を具えることを特徴とする再生機能付記録媒体。
【請求項２】
上記再生機能付記録媒体は、
上記コンテンツを出力する外部出力装置との接続手段を
具え、
上記再生手段は、
上記接続手段によって外部出力装置と接続されると、上記コンテンツを自動的に再生する
ことを特徴とする請求項１に記載の再生機能付記録媒体。
【請求項３】
上記再生制限手段は、
上記再生条件のうち第１の再生条件に基づいて、上記コンテンツの再生を制限すると共に、上記再生手段によって所定の特定広告情報のみを再生させ、
上記再生条件のうち第２の再生条件に基づいて、上記再生手段による上記特定広告情報の再生を禁止する
ことを特徴とする請求項１に記載の再生機能付記録媒体。
【請求項４】
上記記録手段は、
上記コンテンツに加え、広告対象に関するウェブページのＵＲＬ（Uniform resource locator）情報が記録されている
ことを特徴とする請求項１に記載の再生機能付記録媒体。
【請求項５】
上記記録手段は、
上記コンテンツに加え、広告対象に関するウェブページのＵＲＬ（Uniform resource locator）情報が記録され、
上記特定広告情報は、
上記ＵＲＬ情報への接続を促すアナウンス情報である
ことを特徴とする請求項３に記載の再生機能付記録媒体。
【請求項６】
上記再生機能付記録媒体は、
電源供給手段
を具え、
上記再生制限手段は、
上記再生条件として上記電源供給手段の電圧値が所定の制限閾値以下になったときに、上記コンテンツの再生を制限する
ことを特徴とする請求項１に記載の再生機能付記録媒体。
【請求項７】
配布被対象者に対して広告のために配布される携帯可能な再生機能付記録媒体の再生方法であって、
予めコンテンツが記録された記録媒体から上記コンテンツを再生する再生ステップと、
所定の再生条件に基づいて上記コンテンツの再生を制限することにより上記コンテンツを広告として機能させる再生制限ステップと
を具えることを特徴とする再生機能付記録媒体の再生方法。
【発明の詳細な説明】
【技術分野】
【０００１】
本発明は、再生機能付記録媒体及び再生機能付記録媒体の再生方法に関し、例えば新曲のプロモーションに使用する音楽再生プレーヤに適用して好適なものである。
【背景技術】
【０００２】
従来、カセットテープ、ＣＤ（Compact Disc）やＭＤ（Mini Disc（ソニー株式会社の登録商標））等、音楽データが記録された記録媒体が多様化しており、これに伴って記録媒体を再生する音楽再生プレーヤも多様化している。また、音楽再生プレーヤとハードディスクや半導体メモリ等の記録媒体とが一体化された一体型音楽再生プレーヤが増加している（例えば、特許文献１参照）。
【０００３】
一方で、例えば街頭において広告情報及び音楽等のコンテンツデータが記録されたＣＤを不特定多数の人々に配布する宣伝広告方法が広く行われている。
【特許文献１】特開平９−１７１７５号公報
【発明の開示】
【発明が解決しようとする課題】
【０００４】
ところでかかる宣伝広告方法においては、配布されたＣＤを受け取った広告被対象者に対して、ＣＤの表面から広告内容を理解させることは不可能で、ＣＤプレーヤにより当該ＣＤを再生し、当該ＣＤに記録されたコンテンツデータを広告対象者に聴かせて当該広告内容を確認させる必要があった。しかしながら、この宣伝広告方法では、必ずしも広告対象者全員がＣＤプレーヤを携帯しているわけではないため、ＣＤプレーヤを携帯していない広告被対象者に対してその場で広告内容を伝達できず、広告の効果が低下するという問題があった。
【０００５】
本発明は以上の点を考慮してなされたもので、広告の効果を向上させ得る再生機能付記録媒体を提案しようとするものである。
【課題を解決するための手段】
【０００６】
かかる課題を解決するため本発明の再生機能付記録媒体においては、配布被対象者に対して広告のために配布される携帯可能な再生機能付記録媒体であって、コンテンツが記録された記録手段と、コンテンツを再生する再生手段と、所定の再生条件に基づいてコンテンツの再生を制限することによりコンテンツを広告として機能させる再生制限手段とを設けるようにした。
【０００７】
これにより再生機能付記録媒体は、コンテンツを再生するに当たって特定の再生装置を必要としないため、一段と多くの配布被対象者に対してその場で当該コンテンツを再生させることによって当該コンテンツの内容を迅速に知得させ、当該コンテンツに興味を持たせると共に、当該コンテンツの再生を制限することによって、当該コンテンツに興味を持った配布被対象者に対して当該コンテンツの購入を検討させるきっかけを与え得るため、当該コンテンツを広告として機能させることができる。
【０００８】
さらに本発明の再生機能付記録媒体の再生方法においては、配布被対象者に対して広告のために配布される携帯可能な再生機能付記録媒体であって、予めコンテンツが記録された記録媒体から上記コンテンツを再生する再生ステップと、所定の再生条件に基づいてコンテンツの再生を制限することによりコンテンツを広告として機能させる再生制限ステップとを設けるようにした。
【０００９】
これにより再生機能付記録媒体は、コンテンツを再生するに当たって特定の再生装置を必要としないため、一段と多くの配布被対象者に対してその場で当該コンテンツを再生させることによって当該コンテンツの内容を迅速に知得させ、当該コンテンツに興味を持たせると共に、当該コンテンツの再生を制限することによって、当該コンテンツに興味を持った配布被対象者に対して当該コンテンツの購入を検討させるきっかけを与え得るため、当該コンテンツを広告として機能させることができる。
【発明の効果】
【００１０】
本発明によれば、再生手段を設けたことにより、当該コンテンツを再生するに当たって特定の再生装置を必要としないため、一段と多くの配布被対象者に対してその場で当該コンテンツを再生させることによって当該コンテンツの内容を迅速に知得させ、当該配布被対象者に対して当該コンテンツに興味を持たせると共に、再生制限手段を設け、当該コンテンツの再生を制限することによって、当該コンテンツに興味を持った配布被対象者に対して当該コンテンツの購入を検討させるきっかけを与え得るため、当該コンテンツを広告として機能させることができ、かくして広告の効果を向上させ得る再生機能付記録媒体を実現できる。
【発明を実施するための最良の形態】
【００１１】
以下、図面について、本発明の一実施の形態を詳述する。
【００１２】
（１）新曲プロモーションシステムの全体構成
図１において１は、全体として本実施の形態による新曲プロモーションシステムを示し、使い捨てＲＯＭ（Read Only Memory）プレーヤ２と、ヘッドフォン３と、パーソナルコンピュータ（以下、これをＰＣと呼ぶ）４とによって構成されている。
【００１３】
この使い捨てＲＯＭプレーヤ２は、新曲ＮＳのプロモーションのために例えば街頭で不特定多数の人々に無料（若しくは有料）で配布される携帯型のものである。この使い捨てＲＯＭプレーヤ２は、当該使い捨てＲＯＭプレーヤ２を受け取った人々（以下、これをユーザと呼ぶ）に対して記録済みのコンテンツデータＣＮを再生させ得るようになされている。
【００１４】
使い捨てＲＯＭプレーヤ２は、外部への出力端子として、ヘッドフォンジャック１４及びＵＳＢインターフェース１３を有している。この使い捨てＲＯＭプレーヤ２は、ユーザが所有するヘッドフォン３のヘッドフォンプラグ３Ａが当該ヘッドフォンジャック１４に挿入されることによって接続されると、内蔵されている図示しないＲＯＭに記録されたコンテンツデータＣＮを、当該ヘッドフォン３を介してユーザに聴取させ得るようになされている。
【００１５】
また、この使い捨てＲＯＭプレーヤ２は、ユーザが所有するＰＣ４のＵＳＢポート４ＡにＵＳＢインターフェース１３が挿入されることによって接続されると、ＲＯＭに記録されている表示データを当該ＰＣ４に取得させると共に、この表示データを表示部４Ｂに表示させ得るようになされている。なお、図示しないが、このＰＣ４はインターネットに接続されている。
【００１６】
（２）使い捨てＲＯＭプレーヤの回路構成
図２に示すように使い捨てＲＯＭプレーヤ２は、全体を統括制御するＣＰＵ(Central Processing Unit)１０に対して、バス１５を介してＲＯＭ１１と、コーデック１２と、ＵＳＢインターフェース１３と、ヘッドフォンジャック１４とが接続されることによって構成されている。
【００１７】
このＲＯＭ１１には、新曲広告プログラム、オートランプログラム及び再生禁止プログラムが格納されている。そしてＣＰＵ１０は、ＲＯＭ１１から当該新曲広告プログラムを読み出して図示しないＲＡＭ（Random Access Memory）上で展開することによって、後述する新曲広告処理を実行すると共に、ＰＣ４にＲＯＭ１１から読み出された当該オートランプログラム及び再生禁止プログラムを実行させることにより、後述する新曲購入誘導処理を実行させるようになされている。
【００１８】
ヘッドフォンジャック１４はヘッドフォン３（図１）とのインターフェースであると同時に、コンテンツデータＣＮの再生処理を開始するトリガーとなるスイッチの役割を兼ねている。従ってＣＰＵ１０（図２）は、新曲広告処理において当該ヘッドフォンジャック１４にヘッドフォンプラグ３Ａが挿入されたことを認識すると、ＲＯＭ１１に格納された当該コンテンツデータＣＮの再生処理を開始するようになされている。
【００１９】
すなわちＣＰＵ１０は、このコンテンツデータＣＮの再生処理として、ＲＯＭ１１に例えばＭＰ３（MPEG audio layer3）やＡＴＲＡＣ３（Adaptive Transform Acoustic Coding 3）等の形式でなる圧縮データとして記録された当該コンテンツデータＣＮをコーデック１２によって復号化するようになされている。
【００２０】
そしてＣＰＵ１０は、この復号化されたコンテンツデータＣＮをオーディオ信号に変換すると共に、図示しないアンプを介してヘッドフォンジャック１４に送出する。この結果ＣＰＵ１０は、ヘッドフォンジャック１４に接続されているヘッドフォン３（図１）を介して当該コンテンツデータＣＮを音声としてユーザに聴取させ得るようになされている。
【００２１】
またＣＰＵ１０（図２）は、新曲購入誘導処理においてＰＣ４と接続された場合、当該ＰＣ４から供給される読取要求に従ってＲＯＭ１１から表示データを読み出し、ＵＳＢインターフェース１３を介して当該読み出した表示データを当該ＰＣ４（図１）に送出する。この結果ＣＰＵ１０は、当該読み出したデータを当該ＰＣ４の表示部４Ｂを介してユーザに目視確認させ得るようになされている。
【００２２】
（３）新曲広告処理
次に、街頭で配布された使い捨てＲＯＭプレーヤ２が、当該使い捨てＲＯＭプレーヤ２を受け取ったユーザに対してコンテンツデータＣＮを再生させる新曲広告処理について説明する。ここでは、当該ユーザが、携帯している音楽プレーヤに使用しているヘッドフォン３を当該使い捨てＲＯＭプレーヤ２に接続することによって新曲広告処理が開始される。
【００２３】
ここで図３（Ａ）に示すように、広告対象である新曲ＮＳは、全体として演奏時間が４分間の曲であり、サビに相当する演奏時間が３０秒間のサビ部分ＳＢ１〜ＳＢ３を有している。そして図３（Ｂ）に示すように、使い捨てＲＯＭプレーヤ２のＲＯＭ１１には、１分間のコンテンツデータＣＮとしてサビ部分ＳＢ１と、当該新曲ＮＳの演奏アーティストやエピソード等、当該新曲ＮＳに関する種々の情報を紹介する新曲情報ＰＲと、例えば「さらにこの新曲ＮＳを聴きたい方は、このプレーヤをＰＣに接続してください。」等のアナウンス情報ＡＮとが記録されている。
【００２４】
これにより、ＣＰＵ１０は、新曲ＮＳのサビ部分ＳＢ１及び新曲情報ＰＲをユーザに聴かせることによって新曲ＮＳ及び新曲情報ＰＲをユーザに知得させ、新曲ＮＳに対して興味を持たせると共に、この新曲ＮＳに対して興味を持ったユーザに対して、アナウンス情報ＡＮによって当該使い捨てＲＯＭプレーヤ２のＰＣ４への接続を促すようになされている。
【００２５】
図３（Ｃ）に示すように、使い捨てＲＯＭプレーヤ２のＣＰＵ１０は、ヘッドフォンジャック１４にヘッドフォンプラグ３Ａが挿入されたことを認識すると、新曲広告プログラムに従って予めＲＯＭ１１に記録されたコンテンツデータＣＮの始めから終わりまでを一通り再生する。
【００２６】
またＣＰＵ１０は、再度ヘッドフォンプラグ３Ａがヘッドフォンジャック１４に挿入されたことを認識すると、再度コンテンツデータＣＮを一通り再生し、ユーザに再度当該コンテンツデータＣＮを聴取させ得るようになされている。
【００２７】
これによりＣＰＵ１０は、コンテンツデータＣＮを再生するに当たって特定の音楽再生プレーヤを必要とせず、ヘッドフォン３のみを用いてユーザに当該コンテンツデータＣＮを聴かせることができるため、ヘッドフォン３を携帯する多くの人々に、当該コンテンツデータＣＮを迅速に聴取させ得るようになされている。
【００２８】
ここで、ヘッドフォン３を携帯するユーザは音楽再生プレーヤやラジオ等のあらゆる発音装置と共に当該ヘッドフォン３を携帯している場合が多く、概して音楽への関心が高く、新曲ＮＳを購入する可能性が高い。この使い捨てＲＯＭプレーヤ２は、ユーザが当該使い捨てＲＯＭプレーヤ２を受け取ったその場で、当該ヘッドフォン３のみを用いて迅速に当該コンテンツデータＣＮを聴取させ得るため、特に新曲ＮＳを購入する可能性が高いヘッドフォン３を携帯するユーザに対して、当該新曲ＮＳを認知させる宣伝の効果を一段と向上させることができる。
【００２９】
かかる構成に加えて本発明の使い捨てＲＯＭプレーヤ２では、バッテリ電圧値に基づいてコンテンツデータＣＮの再生を制限するようになされている。
【００３０】
具体的には図４に示すように、使い捨てＲＯＭプレーヤ２は、未使用時に電圧値（Ｖ）がｖ１のバッテリを搭載している。そして使い捨てＲＯＭプレーヤ２のＣＰＵ１０は、コンテンツデータＣＮを再生すると同時に、所定の監視周期でバッテリ電圧値を監視し、当該バッテリ電圧値が制限閾値（Ｖ）であるｖ２以上であった場合には、当該コンテンツデータＣＮの再生処理を継続する。
【００３１】
これに対してバッテリ電圧値が制限閾値であるｖ２以下となった場合には、ＣＰＵ１０は、コンテンツデータＣＮの再生位置に拘らず再生処理を中止し、ＲＯＭ１１からアナウンス情報ＡＮを読み出して当該アナウンス情報ＡＮだけを繰り返し再生する（図３（Ｃ））。
【００３２】
これにより、使い捨てＲＯＭプレーヤ２は、バッテリ電圧値が制限閾値以下になると新曲ＮＳのサビ部分ＳＢ１をユーザに聴かせないため、当該サビ部分ＳＢ１をもう一度聴きたいと思ったユーザに当該新曲ＮＳの購入を検討させるきっかけを与え得、当該コンテンツデータＣＮを当該ユーザに聴かせることによって当該新曲ＮＳを宣伝するのみに留まらず、当該コンテンツデータＣＮを当該新曲ＮＳの販売促進に繋げることができ、広告として機能させ得るようになされている。
【００３３】
また、使い捨てＲＯＭプレーヤ２は、バッテリが無くなる前に確実にアナウンス情報ＡＮをユーザに聴かせることができるため、当該使い捨てＲＯＭプレーヤ２のＰＣ４への接続を促すアナウンス情報ＡＮを確実に当該ユーザへ伝えることができる。
【００３４】
因みに、アナウンス情報ＡＮとしてＰＣ４への接続を促すだけでなく、例えば新曲ＮＳの販売日等、特にユーザに印象付けたい特定広告情報を含めることができる。これにより、使い捨てＲＯＭプレーヤ２は、当該ユーザに当該特定広告情報を確実に知得させることができ、一段と広告の効果を向上させることが可能となる。
【００３５】
そして、ＣＰＵ１０は、バッテリ電圧値（図４）が所定の禁止閾値（Ｖ）であるｖ３以下になると、一切の再生処理を禁止する。ここでは、再生処理に必要となる最低限の電圧値を当該所定の禁止閾値として設定しているため、当該ＣＰＵ１０は、自動的に再生処理を実行することができなくなり、新曲広告処理を終了するようになされている（図３（Ｃ））。
【００３６】
これにより、使い捨てＲＯＭプレーヤ２は、再生処理を禁止するために特別な回路やプログラムを設ける必要がないため、簡易な構成で一切の再生処理を禁止し得るようになされている。
【００３７】
このようにして、使い捨てＲＯＭプレーヤ２では、コンテンツデータＣＮを再生することによってユーザに新曲ＮＳへの興味を持たせると共に、この新曲ＮＳに興味を持ったユーザに当該使い捨てＲＯＭプレーヤ２をＰＣ４へ接続するように促すようになされている。さらに使い捨てＲＯＭプレーヤ２は、バッテリ電圧値に基づいて当該コンテンツデータＣＮの再生を制限することにより、当該新曲ＮＳに興味を持ったユーザに当該新曲ＮＳの購入を検討させるきっかけを与え得ると共に、再生を制限した以降はアナウンス情報ＡＮのみを繰り返し再生するため、当該使い捨てＲＯＭプレーヤ２のＰＣ４への接続をさらに促すようになされている。
【００３８】
（４）新曲購入誘導処理
次に、新曲広告処理によって新曲ＮＳに興味を持ったユーザが、アナウンス情報ＡＮに従って使い捨てＲＯＭプレーヤ２をＰＣ４に接続した場合について説明する。
【００３９】
この場合、新曲ＮＳに興味を持ったユーザは、使い捨てＲＯＭプレーヤ２のＵＳＢインターフェース１３（図１）をＰＣ４のＵＳＢポート４Ａに挿入することによって当該使い捨てＲＯＭプレーヤ２を当該ＰＣ４に接続する。
【００４０】
そしてＰＣ４は、使い捨てＲＯＭプレーヤ２が接続されたことを認識すると、当該使い捨てＲＯＭプレーヤ２のＲＯＭ１１（図２）から読み出したオートランプログラムに従って、当該ＲＯＭ１１に格納された表示データを自動的に読み出すと共に、表示部４Ｂ（図１）に表示する。
【００４１】
この結果ＰＣ４は、図５に示すように、この表示データに基づいて、表示部４Ｂにアイコン選択ウィンドウ２５を表示する。このアイコン選択ウィンドウ２５は、その右上端部にウィンドウ閉ボタン２５Ａを有すると共に、当該アイコン選択ウィンドウ２５の内部に、リンクアイコン２６と、データアイコン２７とを表示するようになされている。
【００４２】
このリンクアイコン２６は、指定されたＵＲＬ（Uniform resource locator）へのリンクを表している。そしてＰＣ４は、ユーザの当該リンクアイコン２６へのクリック操作の結果として、ウェブブラウザを起動させてインターネットへ接続すると共に、当該指定されたＵＲＬのウェブページへジャンプする。ここでＰＣ４は、当該ウェブページとして新曲ＮＳの購入ページ（図示せず）へジャンプし、当該購入ページを表示部４Ｂに表示する。この購入ページでは、購入品目として当該新曲ＮＳが既に指定されているため、ユーザは購入条件として例えば購入情報を確認するためのメールアドレスと、支払いのためのクレジットカード番号とを入力するだけの簡単な操作のみで当該新曲ＮＳを購入し得るようになされている。
【００４３】
これにより、使い捨てＲＯＭプレーヤ２は、当該使い捨てＲＯＭプレーヤ２をＰＣ４に接続したユーザに対して、表示されたリンクアイコン２６をクリックさせ、購入条件を入力させるだけの簡単な操作によって新曲ＮＳを購入させることができるため、当該新曲ＮＳに興味を持った段階で、ユーザに迷う時間を持たせずに当該新曲ＮＳの購入を決断させるように当該ユーザを誘導し得るようになされている。
【００４４】
一方で、ユーザのデータアイコン２７のクリック操作の結果として、ＰＣ４は、使い捨てＲＯＭプレーヤ２からコンテンツデータＣＮを読み出すと共に、このコンテンツデータＣＮを再生することによってユーザに当該コンテンツデータＣＮを聴取させ得るようになされている。
【００４５】
これにより、使い捨てＲＯＭプレーヤ２は、バッテリを使い切って再生処理が不能な状態であっても、新曲ＮＳに興味を持ったユーザに対して、ＰＣ４を介して再び新曲ＮＳのサビ部分ＳＢ１を聴かせ、当該ユーザに当該新曲ＮＳを忘れさせないようにすることによって、当該新曲ＮＳへの興味を持続させることができ、結果として当該新曲ＮＳを購入させるように当該ユーザを誘導し得るようになされている。
【００４６】
また、使い捨てＲＯＭプレーヤ２は、ＰＣ４を介してユーザにコンテンツデータＣＮを聴取させ得るようにしたことにより、新曲ＮＳに興味を持ったユーザに対して当該使い捨てＲＯＭプレーヤ２を当該ＰＣ４へ接続させる原動力を与えることができる。この結果、新曲ＮＳを購入する意思はないが、もう一度コンテンツデータＣＮを聴きたいユーザに、当該使い捨てＲＯＭプレーヤ２を当該ＰＣ４へ接続させることができ、延いては新曲購入ページへ接続するきっかけを与え得るため、当該新曲ＮＳを購入させるように当該ユーザを誘導し得るようになされている。
【００４７】
因みに、使い捨てＲＯＭプレーヤ２のＣＰＵ１０は、ＰＣ４によるコンテンツデータＣＮの再生回数をカウントし、当該再生回数をＲＡＭに記録すると共に、所定の再生回数に渡って当該コンテンツデータＣＮが再生された場合には、再生禁止プログラムに基づいて再生処理を禁止するようになされている。これにより、ＣＰＵ１０は、再びコンテンツデータＣＮを聴きたいユーザに当該新曲ＮＳを購入するきっかけを与え得、当該新曲ＮＳを購入させるように誘導し得るようになされている。
【００４８】
他方、ユーザによってウィンドウ閉ボタン２５Ａがクリックされると、ＰＣ４は、アイコン選択ウィンドウ２５を閉じると共に、新曲購入誘導処理を終了するようになされている。
【００４９】
このようにして使い捨てＲＯＭプレーヤ２は、当該使い捨てＲＯＭプレーヤ２をＰＣ４に接続したユーザに対して、簡単な操作によって新曲ＮＳの購入をさせ得るため、当該新曲ＮＳを購入するように当該ユーザを誘導し、広告の効果を一段と向上し得るようになされている。
【００５０】
（５）広告処理手順
次に、新曲ＮＳのプロモーションシステム１（図１）において街頭でユーザに配布された使い捨てＲＯＭプレーヤ２にヘッドフォン３が接続された場合に実行される広告処理手順について、図６のフローチャートを用いて説明する。
【００５１】
使い捨てＲＯＭプレーヤ２のＣＰＵ１０は、広告処理手順ＲＴ１の開始ステップから入り、当該ユーザによってヘッドフォン３が接続されるのを待ち受け、次のステップＳＰ１へ移る。
【００５２】
ステップＳＰ１においてＣＰＵ１０は、ヘッドフォンジャック１４にヘッドフォン３のヘッドフォンプラグ３Ａ（図１）が挿入されたことを認識すると、新曲広告プログラムを起動し、次のステップＳＰ２へ移る。
【００５３】
ステップＳＰ２において、ＣＰＵ１０は、コンテンツデータＣＮの再生処理を開始すると、次のステップＳＰ３へ移る。
【００５４】
ステップＳＰ３において、ＣＰＵ１０は、バッテリ電圧値（図４）を監視し、当該バッテリ電圧値が制限閾値（ｖ２）以上であるか否かを判別する。
【００５５】
ここで肯定結果が場合には、このことはバッテリの残量が十分にあることを意味しており、このときＣＰＵ１０は、次のステップＳＰ４へ移る。
【００５６】
ステップＳＰ４において、ＣＰＵ１０は、コンテンツデータＣＮの再生処理を継続すると、次のステップＳＰ５へ移る。
【００５７】
ステップＳＰ５において、ＣＰＵ１０は、コンテンツデータＣＮを始めから終わりまで一通り再生したか否かを判別する。
【００５８】
ここで否定結果が得られた場合には、このことはコンテンツデータＣＮを一通りユーザに聴取させていないことを意味しており、このときＣＰＵ１０は、ステップＳＰ３へ戻り、当該コンテンツデータＣＮの再生処理及びバッテリ電圧値の監視処理を継続する。
【００５９】
これに対してステップＳＰ５において、肯定結果が得られた場合には、このことはコンテンツデータＣＮを一通りユーザに聴取させたことを意味しており、このときＣＰＵ１０は、ステップＳＰ６へ移って当該コンテンツデータＣＮの再生処理を終了する。そしてＣＰＵ１０は、ステップＳＰ１へ戻り、ユーザによって再度ヘッドフォン３が接続されるのを待ち受ける。
【００６０】
一方、ステップＳＰ３において否定結果が得られ、バッテリ電圧値（図４）が制限閾値（ｖ２）以下であった場合には、このことはバッテリの残量が残りわずかであることを意味しており、このときＣＰＵ１０は、次のステップＳＰ７へ移る。
【００６１】
ステップＳＰ７において、ＣＰＵ１０は、コンテンツデータＣＮの再生処理を中止すると、次のステップＳＰ８へ移り、当該コンテンツデータＣＮの中から使い捨てＲＯＭプレーヤ２をＰＣ４へ接続するように促すアナウンス情報ＡＮのみを繰り返し再生する（図３（Ｃ））。そしてＣＰＵ１０は、バッテリ電圧値（図４）が禁止閾値以下になると、一切の再生処理が不能となり、次のステップＳＰ１０へ移って、広告処理手順ＲＴ１を終了する。
【００６２】
（６）購入誘導処理手順
次に、新曲ＮＳのプロモーションシステム１（図１）において、使い捨てＲＯＭプレーヤ２がＰＣ４に接続された場合に実行される購入誘導処理手順ＲＴ２について、図７のフローチャートを用いて説明する。
【００６３】
起動状態にあるＰＣ４は、購入誘導処理手順ＲＴ２の開始ステップにおいて、ユーザによる操作指示を待ち受け、次のステップＳＰ１１へ移る。
【００６４】
ステップＳＰ１１において、ＰＣ４は、ＵＳＢポート４Ａ（図１）に使い捨てＲＯＭプレーヤ２が接続されたことを認識すると、使い捨てＲＯＭプレーヤ２のＲＯＭ１１（図２）からオートランプログラムを読み出し、次のステップＳＰ１２へ移る。
【００６５】
ステップＳＰ１２において、ＰＣ４は、オートランプログラムに従って使い捨てＲＯＭプレーヤ２のＲＯＭ１１から表示データを読み出し、アイコン選択ウィンドウ２５（図５）を表示部４Ｂに表示すると、次のステップＳＰ１３へ移る。
【００６６】
ステップＳＰ１３において、ＰＣ４は、ユーザによる操作部４Ｃ（図１）へのクリック操作を認識すると、次のステップＳＰ１４へ移る。
【００６７】
ステップＳＰ１４において、ＰＣ４は、ステップＳＰ１３におけるユーザのクリック操作によって、アイコン選択ウィンドウ２５内に表示されたリンクアイコン２６（図５）がクリックされたか否かを判別する。
【００６８】
ここで肯定結果が得られた場合には、このことはユーザが新曲ＮＳを購入する意思があることを意味しており、このときＰＣ４は、次のステップＳＰ１５へ移る。
【００６９】
ステップＳＰ１５において、ＰＣ４は、新曲ＮＳを購入するための購入ページへ接続し、購入品目として当該新曲ＮＳが指定された購入ページを表示部４Ｂに表示する。この結果ＰＣ４は、ユーザに購入条件であるクレジットカード番号及びメールアドレスを入力させるだけの簡単な操作によって当該新曲ＮＳを購入させることができる。そしてこの購入手続が終了すると、ＰＣ４は、次のステップＳＰ１２へ戻り、アイコン選択ウィンドウ２５（図５）を表示させる。
【００７０】
これによりＰＣ４は、例えば通信トラブルや入力ミス等によって購入に至らない状態で誤って購入手続が終了された場合であっても、当該ユーザに対してアイコン選択ウィンドウ２５に表示されたリンクアイコン２６から再度購入ページに簡単に接続させることができるため、当該ユーザにもう一度購入ページに接続させて新曲ＮＳを購入させ得るようになされている。
【００７１】
これに対してステップＳＰ１４において否定結果が得られた場合には、このことはユーザが新曲ＮＳを購入する意思がないことを意味しており、このときＰＣ４は、次のステップＳＰ１７へ移る。
【００７２】
ステップ１７において、ＰＣ４は、ステップＳＰ１３のユーザによるクリック操作によって、アイコン選択ウィンドウ２５内に表示されたデータアイコン２７（図５）がクリックされたか否かを判別する。
【００７３】
ここで肯定結果が得られた場合には、このことはユーザがコンテンツデータＣＮをもう一度聴取する意思があることを意味しており、このときＰＣ４は、次のステップＳＰ１８へ移る。
【００７４】
ステップＳＰ１８において、ＰＣ４は、使い捨てＲＯＭプレーヤ２からコンテンツデータＣＮを読み出して再生することによって、ユーザに当該コンテンツデータＣＮを聴かせるようになされている。そしてＰＣ４は、当該コンテンツデータＣＮの再生が終了すると、ステップＳＰ１２へ戻り、アイコン選択ウィンドウ２５を再び表示する。
【００７５】
これに対して、ステップ１７において否定結果が得られた場合には、このことはユーザによってウィンドウ閉ボタン２５Ａ（図５）がクリック操作され、ユーザに新曲ＮＳを購入する意思及びコンテンツデータＣＮを聴取する意思がないことを意味しており、このときＰＣ４は、次のステップＳＰ１９へ移る。
【００７６】
ステップＳＰ１９において、ＰＣ４は、アイコン選択ウィンドウ２５を閉じると、次のステップＳＰ２０へ移って、購入誘導処理手順ＲＴ２を終了する。
【００７７】
（７）動作及び効果
以上の構成において、本発明の使い捨てＲＯＭプレーヤ２では、サビ部分ＳＢ１、新曲情報ＰＲ及びアナウンス情報ＡＮからなるコンテンツデータＣＮを再生し、ヘッドフォン３を介して当該コンテンツデータＣＮをユーザに聴かせることによって新曲ＮＳを宣伝すると共に、再生条件であるバッテリ電圧値の制限閾値に基づいて、当該コンテンツデータＣＮの再生を制限し、当該コンテンツデータＣＮを当該新曲ＮＳの購入に繋げる広告として機能させるようになされている。
【００７８】
使い捨てＲＯＭプレーヤ２は、ヘッドフォン３を介してユーザに新曲ＮＳ及び新曲情報ＰＲを聴取させ得ることにより、テレビやラジオ等で当該新曲ＮＳを聴かせた場合のようにバックグラウンドミュージックとして聞き流されることがなく、ユーザに注意深く当該新曲ＮＳ及び当該新曲情報ＰＲを聴かせることができるため、当該新曲ＮＳとその演奏アーティストの存在等をユーザに知得させ、当該新曲ＮＳを効果的に宣伝することができる。
【００７９】
さらに、使い捨てＲＯＭプレーヤ２は、コンテンツデータＣＮの再生を制限したことにより、バッテリが消耗するまでの所定時間に限ってユーザにコンテンツデータＣＮを聴かせ得るようにしたため、当該ユーザに一段と注意深く当該コンテンツデータＣＮを聴かせ、当該新曲ＮＳを効果的に宣伝することができる。
【００８０】
また、使い捨てＲＯＭプレーヤ２は、コンテンツデータＣＮの再生を制限したことにより、ユーザが繰り返しコンテンツデータＣＮを聴いて飽きてしまうことによって、新曲ＮＳに対する興味を失うことを防止することができ、ユーザが当該新曲ＮＳに興味を持っている間に当該新曲ＮＳの購入意欲を駆り立てると共に、当該使い捨てＲＯＭプレーヤ２をＰＣ４に接続させて当該新曲ＮＳの購入に繋げることができるため、広告の効果を一段と向上し得ることができる。
【００８１】
使い捨てＲＯＭプレーヤ２は、このコンテンツデータＣＮの再生処理の際、ＣＰＵ１０によってバッテリ電圧値を監視し、当該バッテリ電圧値が所定の制限閾値以下になった場合、コンテンツデータＣＮの再生位置に拘らず当該コンテンツデータＣＮの再生処理を中止する。そして使い捨てＲＯＭプレーヤ２は、特定広告情報であるアナウンス情報ＡＮのみを繰り返し再生し、当該バッテリ電圧値が所定の禁止閾値以下になった時点で、当該アナウンス情報ＡＮの再生処理を中止し、新曲広告処理を完了する。
【００８２】
これにより、使い捨てＲＯＭプレーヤ２は、新曲ＮＳに対して興味を持ち、バッテリの残量が制限閾値以下になるまで繰り返しコンテンツデータＣＮを聴いたユーザに対して、当該コンテンツデータの一部分の再生を禁止し、ＰＣ４への接続を促すアナウンス情報ＡＮのみを繰り返し聴かせることができ、当該アナウンス情報ＡＮをユーザに印象付けることができるため、ＰＣ４への接続を一段と促進し得るようになされている。
【００８３】
また使い捨てＲＯＭプレーヤ２は、搭載するバッテリの電力を新曲広告処理に必要となる最低限のレベルに設定している。これにより、使い捨てＲＯＭプレーヤ２は、当該バッテリの容量を小さくでき、構成を簡易にすることができる。さらに使い捨てＲＯＭプレーヤ２は、禁止閾値を再生処理に必要となる最低レベルの電圧値に設定したことにより、再生処理が不能になるぎりぎりまで新曲広告処理を実行することができるため、バッテリを無駄なく有効活用することができる。
【００８４】
また使い捨てＲＯＭプレーヤ２は、ヘッドフォンジャック１４に外部出力装置であるヘッドフォン３を接続させるだけの簡単な操作によってユーザにコンテンツデータＣＮを聴取させ得るため、音楽再生プレーヤの使用経験の有無や電子機器に関する知識及び得手不得手に拘らず、当該使い捨てＲＯＭプレーヤ２を受け取ったその場で、誰でもが、操作方法を考えることなく当該コンテンツデータＣＮを再生できるため、当該使い捨てＲＯＭプレーヤ２を受け取った老若男女を問わない多くのユーザに、かつ迅速にコンテンツデータＣＮを聴取させることができる。
【００８５】
これにより、使い捨てＲＯＭプレーヤ２は、幅広い層の人々をターゲットに広告し得、これまで広告被対象者として考えにくかった音楽に関心の低いユーザや、電気機器の苦手な老人等に対しても広告できるため、広告被対象者を自由に設定して当該新曲ＮＳを広告することができる。
【００８６】
さらに、使い捨てＲＯＭプレーヤ２は、コンテンツデータＣＮに加えて新曲ＮＳに関するウェブページである購入ページのＵＲＬが指定されたリンクアイコン２６を表示させる表示データを記録している。そして当該使い捨てＲＯＭプレーヤ２は、ＰＣ４に接続されると、当該ＰＣ４に当該表示データを読み出させると共に、当該表示データに基づいて当該リンクアイコン２６を表示部４Ｂに表示させる。
【００８７】
この結果、使い捨てＲＯＭプレーヤ２は、ユーザのリンクアイコン２６へのクリック操作に応じてＰＣ４に購入ページへ接続させると共に、ユーザに購入手続を実行させ得る。これにより、使い捨てＲＯＭプレーヤ２は、ユーザに簡単な操作をさせるのみで新曲ＮＳを購入させることができるため、当該ユーザが当該新曲ＮＳに興味を持って当該使い捨てＲＯＭプレーヤ２を当該ＰＣ４に接続した時に、当該ユーザに迷う時間を与えることなく衝動的に当該新曲ＮＳを購入させることができる。
【００８８】
以上の構成によれば、本発明の使い捨てＲＯＭプレーヤ２では、コンテンツデータＣＮを再生してユーザに聴かせることによって新曲ＮＳを宣伝すると共に、バッテリ電圧値に基づいて当該コンテンツデータＣＮの再生を制限することによって、当該コンテンツデータＣＮを当該新曲ＮＳの購入に繋げる広告として機能させ、かくして広告の効果を向上させることができる。
【００８９】
（８）他の実施の形態
なお上述の実施の形態においては、使い捨てＲＯＭプレーヤ２は、コンテンツデータＣＮとして新曲ＮＳの広告情報であるサビ部分ＳＢ１及び新曲情報ＰＲと、アナウンス情報ＡＮとを再生するようにした場合について述べたが、本発明はこれに限らず、一つの広告情報と他の広告対象に関する広告情報とを組み合わせてコンテンツデータＣＮとするようにしても良く、例えば新曲ＮＳのプロモーションのための広告情報と、当該新曲ＮＳとは無関係となる他の商品の広告情報とを組み合わせてコンテンツデータＣＮとするようにしても良い。
【００９０】
また上述の実施の形態においては、使い捨てＲＯＭプレーヤ２は、コンテンツデータＣＮを書き換え不能なＲＯＭ１１に記録するようにした場合について述べたが、本発明はこれに限らず、書き換え可能なＲＡＭに記録するようにしても良い。これにより、使い捨てＲＯＭプレーヤ２のコンテンツデータＣＮを書き換えることが可能となるため、当該使い捨てＲＯＭプレーヤ２を回収し再利用することが可能となる。
【００９１】
さらに上述の実施の形態においては、使い捨てＲＯＭプレーヤ２は、音声のコンテンツデータＣＮを記録し、ヘッドフォンジャック１４に接続されたヘッドフォン３を介してこの音声を再生した場合について述べたが、本発明はこれに限らず、音声のコンテンツデータとして落語や漫才、トーク番組等を記録するようにしても良く、さらに、他のコンテンツデータＣＮとしてゲーム、プログラム、動画等を記録し、携帯電話機、携帯型のゲーム機やＰＣ等の映像表示装置に接続することによって再生するようにしても良い。この場合、ＵＳＢインターフェース１３の代わりとなる当該映像表示装置への接続手段として、ビデオ端子スロットや各種スロット等、種々の接続手段を使用することができる。
【００９２】
また、使い捨てＲＯＭプレーヤ２は、コンテンツデータＣＮの再生のためにインターネットに接続されたインターネット端末に接続されても良く、この場合、当該インターネット端末に当該コンテンツデータＣＮの再生終了後、自動的に購入ページへ接続させるようにしても良い。
【００９３】
さらに上述の実施の形態においては、使い捨てＲＯＭプレーヤ２は、街頭において無料で配布されるようにした場合について述べたが、本発明はこれに限らず、有料で配布されても良く、さらに申し込みに応じて配布する等、種々の配布方法を使用することができる。これにより、使い捨てＲＯＭプレーヤ２は、購入対象に付随する状態にして配布される場合と比較して、広告被対象者を当該購入対象に限定されることなく、広告対象に応じて自由に広告被対象者を設定することができるため、一段と広告の効果を向上させることができる。
【００９４】
さらに上述の実施の形態においては、コンテンツデータＣＮとしてＲＯＭ１１に広告対象となる新曲ＮＳの一部であるサビ部分ＳＢ１を記録するようにした場合について述べたが、本発明はこれに限らず、コンテンツデータＣＮとして当該新曲ＮＳの全部を記録するようにし、再生部分、再生時間及び再生回数等の再生条件に基づいて再生を制限することによって当該コンテンツデータＣＮを広告として機能させるようにしても良い。
【００９５】
このとき、再生制限の後にユーザが使い捨てＲＯＭプレーヤ２をＰＣ４に接続し、購入ページを介して新曲ＮＳを購入する場合、ＲＯＭ１１に新曲ＮＳのデータが記録されているため、ユーザは当該再生制限を解除する解除プログラムをダウンロードするだけで当該新曲ＮＳの購入を実行することができる。これにより、当該使い捨てＲＯＭプレーヤ２は、当該新曲ＮＳ全部をダウンロードする場合と比較して、ダウンロードに要する時間を短縮させることができ、当該ユーザに一段と短い時間で簡易に当該新曲ＮＳを購入させることができるため、一段と効果的に当該ユーザに対して新曲ＮＳを購入するよう誘導することが可能となる。
【００９６】
さらに上述の実施の形態においては、使い捨てＲＯＭプレーヤ２は、ヘッドフォンプラグ３Ａがヘッドフォンジャック１４に挿入された場合、再生処理を開始してコンテンツデータＣＮを始めから終わりまで一通り再生する場合について述べたが、本発明はこれに限らず、当該コンテンツデータＣＮの途中部分を再生している時にヘッドフォンジャック１４からヘッドフォンプラグ３Ａが抜き取られた場合には、当該途中部分で再生処理を中止すると共に、当該再生処理を中止した時点におけるコンテンツデータＣＮの再生位置をＲＡＭに記録し、再度ヘッドフォンプラグ３Ａが挿入された際に、当該ＲＡＭに記録された当該再生位置から再生処理を開始するようにしてもよい。
【００９７】
これにより、ＣＰＵ１０は、サビ部分ＳＢ１が再生される度に確実に新曲情報ＰＲ及びアナウンス情報ＡＮをユーザに聴取させ得るため、当該サビ部分ＳＢ１に加えて当該新曲情報ＰＲ及び当該アナウンス情報ＡＮを当該ユーザに繰り返し聴かせることができ、宣伝の効果を一段と向上させ得ると共に、一段と効果的に使い捨てＲＯＭプレーヤ２のＰＣ４への接続を促すようになされている。
【００９８】
同様に使い捨てＲＯＭプレーヤ２は、コンテンツデータＣＮの再生処理中にヘッドフォン３が抜かれたことによって再生処理を中止し、次にヘッドフォン３が挿入された場合、コンテンツデータＣＮのどの部分から再生を開始しても良く、例えば常に当該コンテンツデータＣＮの初めから再生処理を開始するようにしても良い。
【００９９】
これにより、この使い捨てＲＯＭプレーヤ２は、ＲＡＭに当該再生処理の中止位置を記録させる必要がないため、ＣＰＵ１０の処理負担を軽減できると共に、ヘッドフォン３が接続されていない状態であってもコンテンツデータＣＮを一通り再生するまで再生処理を継続した場合と比較して、再生処理に要する時間を短くでき、電力を節約することができる。
【０１００】
また同様に使い捨てＲＯＭプレーヤ２は、コンテンツデータＣＮの再生処理中にヘッドフォン３が抜かれた場合、再生処理を中止することなく当該コンテンツデータＣＮを一通り再生し終わるまで再生処理を継続するようにしても良い。この場合使い捨てＲＯＭプレーヤ２は、ＲＡＭに当該再生処理の中止位置を記録させる必要がないため、ＣＰＵ１０の処理負担を軽減することができる。
【０１０１】
さらに上述の実施の形態においては、使い捨てＲＯＭプレーヤ２は、ＣＰＵ１０によってバッテリ電圧値を監視し、当該バッテリ電圧値が所定の制限閾値になった時に再生を制限するようにした場合について述べたが、本発明はこれに限らず、例えばＣＰＵ１０によって再生時間や再生回数等の再生条件を監視し、所定の再生条件以後に再生を制限するようにしても良い。
【０１０２】
また上述の実施の形態においては、使い捨てＲＯＭプレーヤ２は、所定の再生条件をバッテリ電圧値とし、制限閾値になった時点でアナウンス情報ＡＮを繰り返し再生し、さらに禁止閾値になった時点で一切の再生処理を禁止するようにした場合について述べたが、本発明はこれに限らず、禁止閾値のみを設け、当該禁止閾値になった時点で一切の再生処理を禁止するようにしてもよい。これにより、使い捨てＲＯＭプレーヤ２は、ＣＰＵ１０によってバッテリ電圧値を監視する必要がないため、ＣＰＵ１０の処理負担を軽減することができる。
【０１０３】
さらに上述の実施の形態においては、使い捨てＲＯＭプレーヤ２は、バッテリ電圧値が禁止閾値以下となった時点で一切の再生処理を禁止した後、ＵＳＢインターフェースを介してＰＣ４と接続されるようにした場合について述べたが、本発明はこれに限らず、無線及び有線の各種方式による種々の接続手段を介して携帯電話やノート型ＰＣ等のインターネットに接続できるインターネット端末に対して接続されれば良い。
【０１０４】
ここで、使い捨てＲＯＭプレーヤ２は、電源の供給を受けられないタイプの接続手段を介してインターネット端末に接続される場合、ＣＰＵ１０は、再生を禁止する禁止閾値を表示データの読み出し処理及びＰＣ４への送信処理に必要となる所定のバッテリ電圧値に設定すると共に、バッテリ電圧値を監視し、禁止閾値以下になった時点で一切の再生処理を禁止するようにする。これにより、バッテリ電圧値が禁止閾値以下となり、再生処理が禁止された場合であっても、ＣＰＵ１０は、ＰＣ４に接続された時に当該バッテリに残されている電力を使用して表示データを読み出し、当該表示データをＰＣ４に送信することができる。
【０１０５】
さらに上述の実施の形態においては、使い捨てＲＯＭプレーヤ２は、ＰＣ４へ接続された際、当該使い捨てＲＯＭプレーヤ２のオートランプログラムに従ってＰＣ４にアイコン選択ウィンドウ２５を自動的に表示させるようにした場合について述べたが、本発明はこれに限らず、オートランプログラムに従って、当該ＰＣ４にウェブブラウザを起動させ、そのまま購入ページのＵＲＬへジャンプさせることによって、ＰＣ４への接続と同時に表示部４Ｂに当該購入ページを自動表示させるようにしてもよい。
【０１０６】
また使い捨てＲＯＭプレーヤ２は、新曲ＮＳに関するウェブページとして購入ページのＵＲＬをＲＯＭ１１に記録し、ユーザの操作によってリンクアイコン２６がクリックされた場合にＰＣ４に当該購入ページへジャンプさせるようにした場合について述べたが、本発明はこれに限らず、例えば新曲ＮＳに関する情報や、演奏アーティストの情報等が掲載されたファンサイトのページや、図８に示すように、新曲ＮＳを購入する購入ページのＵＲＬへのリンクを表した購入リンク３２と、当該新曲ＮＳに関する情報を掲載しているＰＲページへＵＲＬのリンクを表したＰＲリンク３３とが貼り付けられたリンクページ３１等へジャンプさせるようにしても良い。
【０１０７】
このとき、リンクアイコンが指定するＵＲＬとしてこの使い捨てＲＯＭプレーヤ２をＰＣ４に接続した場合のみにアクセス可能な特別ページへジャンプさせるようにすることができる。これにより、例えばおまけを付随させたり、当該使い捨てＲＯＭプレーヤ２が有料で配布された場合に、支払い金額分だけ割引いた料金で新曲ＮＳを販売する等、この使い捨てＲＯＭプレーヤ２からの接続に対して特別の特典を付加することができ、当該使い捨てＲＯＭプレーヤ２のユーザに対して当該新曲ＮＳをより魅力的な商品に感じさせ、広告の効果を向上させることが可能となる。
【０１０８】
さらに上述の実施の形態においては、記録手段としてのＲＯＭ１１と、再生手段としてのデコーダ１２と、再生制限手段としてのＣＰＵ１０とによって再生機能付記録媒体としての使い捨てＲＯＭプレーヤ２を構成するようにした場合について述べたが、本発明はこれに限らず、その他種々の回路構成でなる記録手段と、再生手段と、再生制限手段とによって再生機能付記録媒体を構成するようにしてもよい。
【産業上の利用可能性】
【０１０９】
本発明の再生機能付記録媒体及び再生機能付記録媒体の再生方法は、例えば音楽やゲーム、映画等の各種商品や、テレビやラジオ番組等の各種広告に適用することができる。
【図面の簡単な説明】
【０１１０】
【図１】新曲プロモーションシステムの全体構成を示す略線的斜視図である。
【図２】使い捨てＲＯＭプレーヤの回路構成を示す略線的ブロック図である。
【図３】新曲広告処理の説明に供する略線図である。
【図４】バッテリ電圧値の説明に供する略線図である。
【図５】ウィンドウ表示画面の説明に供する略線図である。
【図６】広告処理手順を示すフローチャートである。
【図７】購入誘導処理手順を示すフローチャートである。
【図８】ページ選択画面を示す略線図である。
【符号の説明】
【０１１１】
１……新曲プロモーションシステム、２……使い捨てＲＯＭプレーヤ、３……ヘッドフォン、４……ＰＣ、１０……ＣＰＵ、１１……ＲＯＭ、１２……コーデック、１３……ＵＳＢインターフェース、１４……ヘッドフォンジャック、２５……アイコン選択ウィンドウ、２６……リンクアイコン、２７……データアイコン。
【図１】
2007033889.tif 000003
【図２】
2007033889.tif 000004
【図３】
2007033889.tif 000005
【図４】
2007033889.tif 000006
【図５】
2007033889.tif 000007
【図６】
2007033889.tif 000008
【図７】
2007033889.tif 000009
【図８】
2007033889.tif 000010